(57)【特許請求の範囲】
【請求項１】
電装部材が搭載されると共に第１エンコーダが形成された主片面フレキシブルプリント基板と、該主片面フレキシブルプリント基板から延在する第２エンコーダが形成された第１副片面フレキシブルプリント基板と、前記主片面フレキシブルプリント基板から延在する外部との電気接点が形成された第２副片面フレキシブルプリント基板と、を有することを特徴とする片面フレキシブルプリント基板を備えたレンズ鏡筒であって、
前記レンズ鏡筒内で、前記第１副片面フレキシブルプリント基板は前記主片面フレキシブルプリント基板に対して反転されることによって、前記片面フレキシブルプリント基板の前記第１エンコーダが形成されている面と反対の面に前記第２エンコーダが形成され、
前記レンズ鏡筒内で、前記第２副片面フレキシブルプリント基板は前記主片面フレキシブルプリント基板に対して反転されることによって、前記片面フレキシブルプリント基板の前記第１エンコーダが形成されている面と反対の面に前記電気接点が形成され、
前記主片面フレキシブルプリント基板は、レンズマウント近傍の固定筒内周部に配置され、前記固定筒の内周面に沿って全体が円弧状となり、その内周面が前記第１エンコーダの形成面となっており、
前記第１副片面フレキシブルプリント基板は、前記主片面フレキシブルプリント基板のレンズ鏡筒後方端面からレンズ鏡筒前方に屈曲させられて反転し前記固定筒のレンズ鏡筒前方の外周面に配置され、
前記第２副片面フレキシブルプリント基板は、前記主片面フレキシブルプリント基板のレンズ鏡筒前方端面からレンズ鏡筒後方に屈曲させられて反転することを特徴とする片面フレキシブルプリント基板を備えたレンズ鏡筒。
【請求項２】
前記第１副片面フレキシブルプリント基板は、前記主片面フレキシブルプリント基板の近傍に一方から他方に反転させて延在させる為の屈曲部を有し、前記第２副片面フレキシブルプリント基板は、前記主片面フレキシブルプリント基板の近傍に他方から一方に反転させて延在させる為の屈曲部を有することを特徴とする請求項１記載の片面フレキシブルプリント基板を備えたレンズ鏡筒。
【請求項３】
前記第１エンコーダは、変倍環と連動するブラシと係接して変倍環の回動を検出し、前記第２エンコーダは、合焦環と連動するブラシと係接して合焦環の回動を検出することを特徴とする請求項１又は２に記載の片面フレキシブルプリント基板を備えたレンズ鏡筒。
【発明の詳細な説明】
【０００１】
【発明の属する技術分野】
本発明は片面フレキシブルプリント基板を備えたレンズ鏡筒に関するものである。また、詳細には片面フレキシブルプリント基板の有効な配置に関するものである。
【０００２】
【従来の技術】
従来、フレキシブルプリント基板を備えたレンズ鏡筒は、フレキシブルプリント基板を図４、図５に示す如く構成していた。
図４は従来のフレキシブルプリント基板を備えたレンズ鏡筒の縦断面図、であり、図５は従来のフレキシブルプリント基板が配置された状態を説明する仮想斜視図である。
【０００３】
以下、図面を参照して従来の技術を説明する。
図４において、フレキシブルプリント基板３１は、第１エンコーダ３１ａ、第２エンコーダ３１ｂ、及び接点部３１ｃを有している。そして、第１エンコーダ３１ａの形成された部分が、固定筒３６の内周面に、第２エンコーダ３１ｂの形成された部分が固定筒先端部３６ａにそれぞれ固設されている。また、接点部３１ｃは、固定筒３６の後部端面に固設されたバヨネットマウント３７の近傍に配置された接点部材３８に固設されている。
【０００４】
第１エンコーダ３１ａには、変倍操作環３５に固設されたブラシ支持板３２に支持された複数のブラシ３２ａが回転摺動可能に当接している。これによって、変倍操作時の変倍操作環３５の回転操作量が検出される。
第２エンコーダ３１ｂには、合焦操作環３４のブラシ取り付け部３４ａに支持された複数のブラシ３３ａが回転摺動可能に当接している。これによって、合焦操作時の合焦操作環３４の回転操作量が検出される。
【０００５】
このように配置されたフレキシブルプリント基板３１は、レンズ鏡筒内で図５に示すような形状となる。第１エンコーダ３１ａの形成部は、固定筒の内周面に沿って全体が円弧状となり、その内周面３１ａ’が第１エンコーダの形成面となっている。この第１エンコーダ３１ａの形成部の図面左側（レンズ鏡筒前側）端面から延在する第２エンコーダ３１ｂの形成部が固定筒先端部３６ａの外周に沿った形状となっており、この外周面３１ｂ’が第２エンコーダの形成面になるように形作られている。また、第１エンコーダ３１ａの形成部の図面右側（レンズ鏡筒後側）端面から接点部３１ｃの形成部が図面右側（レンズ鏡筒後側）に延在している。そして、接点部３１ｃが形成された面を外周面として配置される如き形状となっている。
【０００６】
【発明が解決しようとする課題】
このような従来の構成においては、フレキシブルプリント基板３１の一方の面に第１エンコーダ３１ａが形成され、他方の面に第２エンコーダ３１ｂと接点部３１ｃが形成されることになる。従って、これを満足させるために、両面のフレキシブルプリント基板を使用せざるを得ない。しかしながら、両面フレキシブルプリント基板は片面フレキシブルプリント基板と比較して高価なものである故、コスト高となってしまうという問題点があった。
【０００７】
本発明は、このような従来の問題点に鑑みてなされたものであり、その目的とするところは、フレキシブルプリント基板を配置させるレンズ鏡筒の内部の構造が従来の技術のようであっても、両面フレキシブルプリント基板を使用することなく、片面フレキシブルプリント基板で機能する如くなしたレンズ鏡筒を提供することにある。
【０００８】
【課題を解決するための手段】
上記目的を達成するために、本発明では、電装部材が搭載されると共に第１エンコーダが形成された主片面フレキシブルプリント基板と、該主片面フレキシブルプリント基板から延在する第２エンコーダが形成された第１副片面フレキシブルプリント基板と、前記主片面フレキシブルプリント基板から延在する外部との電気接点が形成された第２副片面フレキシブルプリント基板と、を有することを特徴とする片面フレキシブルプリント基板を備えたレンズ鏡筒であって、前記レンズ鏡筒内で、前記第１副片面フレキシブルプリント基板は前記主片面フレキシブルプリント基板に対して反転されることによって、前記片面フレキシブルプリント基板の前記第１エンコーダが形成されている面と反対の面に前記第２エンコーダが形成され、前記レンズ鏡筒内で、前記第２副片面フレキシブルプリント基板は前記主片面フレキシブルプリント基板に対して反転されることによって、前記片面フレキシブルプリント基板の前記第１エンコーダが形成されている面と反対の面に前記電気接点が形成され、前記主片面フレキシブルプリント基板は、レンズマウント近傍の固定筒内周部に配置され、前記固定筒の内周面に沿って全体が円弧状となり、その内周面が前記第１エンコーダの形成面となっており、前記第１副片面フレキシブルプリント基板は、前記主片面フレキシブルプリント基板のレンズ鏡筒後方端面からレンズ鏡筒前方に屈曲させられて反転し前記固定筒のレンズ鏡筒前方の外周面に配置され、前記第２副片面フレキシブルプリント基板は、前記主片面フレキシブルプリント基板のレンズ鏡筒前方端面からレンズ鏡筒後方に屈曲させられて反転することを第１の課題解決の手段とするものである。
【０００９】
また、前記第１副片面フレキシブルプリント基板は、前記主片面フレキシブルプリント基板の近傍に一方から他方に反転させて延在させる為の屈曲部を有し、前記第２副片面フレキシブルプリント基板は、前記主片面フレキシブルプリント基板の近傍に他方から一方に反転させて延在させる為の屈曲部を有することを第２の課題解決の手段とし、さらに、前記第１エンコーダは、変倍環と連動するブラシと係接して変陪環の回動を検出し、前記第２エンコーダは、合焦環と連動するブラシと係接して合焦環の回動を検出することを第３の課題解決の手段とするものである。
【００１０】
【発明の実施の形態】
以下、本発明の実施の形態を図面を参照して説明する。
図１は本発明の実施の形態を示す片面フレキシブルプリント基板を備えたレンズ鏡筒の縦断面図、図２は本発明の片面フレキシブル基板を説明する平面図、図３は本発明の実施の形態を示す片面フレキシブルプリント基板が配置された状態を説明する仮想斜視図である。
【００１１】
図１において、レンズ鏡筒の前部に配置される合焦レンズ群３は、合焦レンズ枠３ａに保持されている。合焦レンズ枠３ａは、合焦移動環４の一端部に設けられた嵌合部にその外周部が嵌合して固定され、合焦移動枠４と一体にとなっている。合焦移動枠４は内周面に雌ヘリコイドネジ５ａが螺刻されており、他端部には外周から突起する嵌合キー５ｂが形成されている。嵌合キー５ｂは、固定筒２の外周に回動可能に嵌合する合焦操作環１１の内周面に形成された直進キー溝１１ａに嵌合しており、合焦操作環１１の回転に連動して合焦移動環４を回転させる。また、合焦操作環１１の先端部には、ブラシ取り付け部１１ｂが形成されており、ここに複数のブラシ１１ｃが固設されている。尚、このブラシ１１ｃは後述する第２エンコーダ１ｂに摺動可能に当接する如く配置される。
【００１２】
固定筒２は、後部の端面にレンズ鏡筒をカメラ本体に装着するためのバヨネットマウント６を固設しており、また、略中央外周部には変倍操作環７が回転可能に嵌合している。変倍操作環７は、その内周面に、光軸方向の直進溝７ａが形成されており、この直進溝７ａにカム環８の係合部８ａが係合している。さらに、ブラシ支持板１２が固設されており、ブラシ支持板１２には複数のブラシ１２ａが固設されている。尚、ブラシ１２ａは、後述する第１エンコーダ１ａに摺動可能に当接する如く配置される。カム環８は、内径面に雌リードネジ８ｃが螺刻され、外周部に凸カム８ｂが形成されている。カム環８のリードネジ８ｃには、後群レンズ群９を保持する後群レンズ枠９ａの外周に螺刻された雄リードネジ９ｂが螺合している。また、外周部の凸カム８ｂには、変倍移動環５の内周面に形成されたカム溝５ｂが嵌合している。変倍移動環５は、さらに、その外周部に雄ヘリコイドネジ５ａが螺刻されており、この雄ヘリコイドネジ５ａは、前記合焦移動環４の雌ヘリコイドネジ４ａに螺合している。後群レンズ枠９ａは、光軸方向の直進キー溝９ｃが形成されており、この直進キー溝９ｃには、固定筒２に固設された直進キー１０が嵌入している。
【００１３】
上述の構成において、合焦操作環１１を回転させると、嵌合キー５ｂを介して合焦移動環４が一体に回転する。この回転によって合焦移動環４は、雄、雌のヘリコイドネジ４ａ，５ａの作用で合焦操作環１１の直進キー溝１１ａに沿って回転しながら光軸方向へ移動し、一体と成す合焦レンズ群３を光軸方向に移動させることによって合焦が行われる。また、変倍操作環７を回転させると、係合部８ａを介してカム環８が一体に回転する。この回転によって後群レンズ枠９ａは、螺合するリードネジ９ｂ、８ｃ及び直進キー１０，直進キー溝９ｃの作用により光軸方向に直進移動をする。また、カム環８の凸カム８ｂには、変倍移動環５のカム溝５ｂが嵌合しているので、カム環８の回転力を受けて変倍移動環５は、光軸方向に移動する。従ってこの移動に連動して合焦移動環４、合焦レンズ枠３ａは、合焦操作環１１の直進キー溝１１ａに沿って光軸方向に直進移動する。このように、変倍操作環７を回転させることで、後群レンズ枠９ａ、合焦レンズ枠３ａとそれぞれ一体と成す、後群レンズ群９ａ、合焦レンズ群３ａは光軸方向に移動して変倍が行われる。
【００１４】
片面フレキシブルプリント基板１は、固定筒２の内径側に配置されている。片面フレキシブルプリント基板１は、図２に示す如く、ＣＰＵ１ｄを含む電装部品と第１エンコーダ１ａが搭載される主片面フレキシブルプリント基板２０と、この主片面フレキシブルプリント基板２０の一方の側面から延在する延在部２１ａを有し、この延在部２１ａから直交する第２エンコーダが形成された第１副片面フレキシブルプリント基板と、他方の側面から延在する延在部２２ａを有し、接点部１ｃが形成された第２副フレキシブルプリント基板２２から構成されている。尚、延在部２１ａと延在部２２ａは、レンズ鏡筒内で配置させる時に、互いの緩衝を防止するために、正反対位置から所定量ずらせた位置に引き出し部を配置している。そして、ＣＰＵ１ｄを含む電装部品、第１エンコーダ１ａ及び第２エンコーダ１ｂは、片側フレキシブルプリント基板１の同一面上に配置されている。
【００１５】
片側フレキシブルプリント基板１は、レンズ鏡筒内にて次の如く配置される。まず、主片面フレキシブルプリント基板２０は、固定筒２の内周面に第１エンコーダ１ａを内側に向けて配置され固定される。その後、第２エンコーダ１ｂをレンズ鏡筒前方に位置する固定筒先端部２ａの外周に配置するために、レンズ鏡筒後方に延在している第１副フレキシブルプリント基板２１を延在部２１ａにて反転させ、カム環８の空隙部を挿通させる。そして、第１副フレキシブルプリント基板２１を固定筒先端部２ａの外周面に固定する。このことにより、第２エンコーダ１ｂは、固定筒の外側に向けて配置される。また、接点部１ｃをレンズ鏡筒後方に位置するバヨネットマウント６近傍に配置するために、第２エンコーダ１ｂの時と同様にして、レンズ鏡筒前方に延在している第２副フレキシブルプリント基板２２を延在部２２ａにて反転させ、接点部１ｃをバヨネットマウント６の近傍の接点部材１３に配置させる。
【００１６】
このように配置された片面フレキシブルプリント基板１は、レンズ鏡筒内で図３に示すような形状となる。主片面フレキシブルプリント基板２０は、固定筒の内周面に沿って全体が円弧状となり、その内周面１ａ’が第１エンコーダの形成面となっている、この主片面フレキシブルプリント基板２０の図面右側（レンズ鏡筒後側）端面から延在方向を反転させて延在部２１ａが図面左側（レンズ鏡筒前側）に延在している。そして、第１副フレキシブルプリント基板２１が固定筒先端部２ａの外周に沿った形状となっており、この第１副フレキシブルプリント基板２１の外周面１ｂ’が第２エンコーダの形成面になるように形作られている。また、主片面フレキシブルプリント基板２０の図面左側（レンズ鏡筒前側）端面から延在方向を反転させて延在部２２ａが図面右側（レンズ鏡筒後側）に延在している。そして、第２副フレキシブルプリント基板２２は、接点部１ｃが形成された面を外周面として配置される如き形状となっている。
【００１７】
上記の如く構成されたレンズ鏡筒にあって、合焦のために合焦操作環１１を回転させると、ブラシ取り付け部１１ｂに固設された複数のブラシ１１ｃも一体に回転する。この回転により、複数のブラシ１１ｃは、第２エンコーダ１ｂのパターン上を摺動する。この摺動によってパターンが検出され、この検出信号がＣＰＵ１ｄに伝達され、接点部１ｃを介して合焦状況が不図示のカメラ本体に伝達される。また、変倍のために変倍操作環７を回転させると、ブラシ支持板１２に固設されているブラシ１２ａも一体に回転する。この回転により、複数のブラシ１２ａは、第１エンコーダ１ａのパターン上を摺動する。この摺動によってパターンが検出され、この検出信号がＣＰＵ１ｄに伝達され、接点部１ｃを介して変倍状況が不図示のカメラ本体に伝達される。
【００１８】
本発明の実施の形態にあっては、複数のエンコーダのパターン及び接点部の配置の向きが一致せず、一部が逆方向であっても、片面フレキシブルプリント基板でその配置を可能としているものである。
【００１９】
【発明の効果】
以上説明したように、本発明によれば、フレキシブルプリント基板を配置させるレンズ鏡筒の内部の構造において、フレキシブルプリント基板のエンコーダ形成面、及び接点形成面を反対面としなくてはならない状態であっても、両面フレキシブルプリント基板を使用することなく、片面フレキシブルプリント基板で十分に機能させることができる。
【００２０】
従って、高価な両面フレキシブルプリント基板をしなくて済むので、コスト面において効果を奏する。
【図面の簡単な説明】
【図１】本発明の実施の形態を示す片面フレキシブルプリント基板を備えたレンズ鏡筒の縦断面図である。
【図２】本発明の片面フレキシブル基板を説明する平面図である。
【図３】図３は本発明の実施の形態を示す片面フレキシブルプリント基板が配置された状態を説明する仮想斜視図である。
【図４】従来のフレキシブルプリント基板を備えたレンズ鏡筒の縦断面図である。
【図５】従来のフレキシブルプリント基板が配置された状態を説明する仮想斜視図である。
【符号の説明】
１        片面フレキシブルプリント基板
１ａ      第１エンコーダ
１ｂ      第２エンコーダ
１ｃ      接点部
１ｄ      ＣＰＵ
２        固定筒
２ａ      固定筒先端部
３        合焦レンズ群
３ａ      合焦レンズ枠
４        合焦移動環
４ａ      雌ヘリコイドネジ
５        変倍移動環
５ａ      雄ヘリコイドネジ
５ｂ      嵌合キー
６        バヨネットマウント
７        変倍操作環
８        カム環
８ａ      係合部
８ｂ      凸カム
８ｃ      リードネジ
９        後群レンズ群
９ａ      後群レンズ枠
９ｂ      リードネジ
１０      直進キー
１１      合焦操作環
１１ａ    直進キー溝
１１ｂ    ブラシ取り付け部
１１ｃ    ブラシ
１２      ブラシ支持板
１２ａ    ブラシ
１３      接点部材
２０      主片面フレキシブルプリント基板
２１      第１副片面フレキシブルプリント基板
２１ａ    延在部
２２      第２副片面フレキシブルプリント基板
２２ａ    延在部
【図１】
0003988247.tif 000002
【図２】
0003988247.tif 000003
【図３】
0003988247.tif 000004
【図４】
0003988247.tif 000005
【図５】
0003988247.tif 000006